(57)【要約】    【課題】ホース本体が損傷した際の口金具の廃棄を不要にすることができる口金具付きゴムホースの提供。    【解決手段】ホース本体４の端部に筒状の口金具３を止着する。口金具３に接続金具７ａ及び止着金具６を設ける。接続金具７ａを他の管に接続可能な筒状とする。筒状の止着金具６をホース中心軸方向に突出させつつホース本体４の端部内側に固定する。接続金具７ａを止着金具６に着脱自在とする。ホース本体４が損傷した際、接続金具７ａをそのまま別の口金具付きゴムホース１に用いる。【選択図】  図２
2016114172.tif 000002
【特許請求の範囲】
【請求項１】
ホース本体の端部に筒状の口金具を止着してなる口金具付きゴムホースであって、前記口金具は、他の管に接続可能な筒状の接続金具と、一側端部をホース中心軸方向に突出させつつ他側端部をホース本体の端部内側に固定された筒状の止着金具と、を備え、前記接続金具が、ホース本体から突出する止着金具の前記一側端部に着脱自在とされたことを特徴とする口金具付きゴムホース。
【請求項２】
前記接続金具は、前記他の管に接続可能な一側が前記止着金具に着脱自在な他側よりも大径の円錐台状とされたことを特徴とする請求項１に記載の口金具付きゴムホース。
【請求項３】
前記接続金具は、止着金具よりも耐磨耗性の高い素材から形成されたことを特徴とする請求項１又は２に記載の口金具付きゴムホース。
【請求項４】
前記接続金具は、止着金具の外周側又は内周側に螺合可能とされたことを特徴とする請求項１、２又は３に記載の口金具付きゴムホース。
【発明の詳細な説明】
【技術分野】
【０００１】
本発明は、例えば生コンクリートの打設などに使用される口金具付きゴムホースに関するものである。
【背景技術】
【０００２】
一般に、生コンクリートの打設などに使用されるゴムホースは、ホース本体の端部に筒状の口金具を止着した構造の口金具付きゴムホースとされ、その口金具を上流側又は下流側の配管に接続するようになっている（例えば特許文献１）。
【０００３】
図５に示すように、特許文献１の口金具付きゴムホースは、ホース本体１０１の端部に口金具１０２を挿入すると共に、その外側から圧締具１０３で締め付けることにより、ホース本体１０１に口金具１０２を止着した構造とされる。
【先行技術文献】
【特許文献】
【０００４】
【特許文献１】特開２００５−１８０４７９号公報（段落番号０００２、００３５、図１）
【発明の概要】
【発明が解決しようとする課題】
【０００５】
ところが、特許文献１の口金具付きゴムホースは、圧締具で締め付けることによってホース本体に口金具を強固に止着した構造であり、口金具がホース本体に対して分離不能とされている。
【０００６】
このように口金具を分離不能に止着したゴムホースは、比較的に寿命の短いホース本体が磨耗などによって損傷した際、そのホース本体を廃棄するのに伴って、比較的に寿命の長い口金具についても廃棄する必要があり、口金具付きゴムホースの製品コストを高くするおそれがある。
【０００７】
本発明は、ホース本体が損傷した際の口金具の廃棄を不要にすることができる口金具付きゴムホースの提供を目的とする。
【課題を解決するための手段】
【０００８】
上記目的を達成するために、本発明に係る口金具付きゴムホースは、ホース本体の端部に筒状の口金具を止着したものであり、口金具に、他の管に接続可能な筒状の接続金具と、一側端部をホース中心軸方向に突出させつつ他側端部をホース本体の端部内側に固定された筒状の止着金具と、を備え、その接続金具を、ホース本体から突出する止着金具の一側端部に着脱自在としたものである。
【０００９】
上記構成によれば、ホース本体に口金具のうちの止着金具を固定して、この止着金具に接続金具を着脱自在とするので、ホース本体に対する接続金具の装着及び取外しを容易にすることができる。これにより、比較的に寿命の短いホース本体が磨耗などによって損傷した際、比較的に寿命の長い接続金具を廃棄することなく、そのまま別の口金具付きゴムホースに用いることができる。しかも、止着金具に着脱する接続金具の種類を適宜変更することにより、一つのホース本体を複数種類の配管に接続することができ、複数種類の配管に対してホース本体の共通化を図ることができる。
【００１０】
さらに、口金具とホース本体との境界部では、ホース内面の剛性や流れに対する抵抗が急変するので、口金具は、ホース本体に近い部位ほど磨耗しやすく、ホース本体に固定した止着金具の磨耗量が、止着金具に装着した接続金具よりも大きくなりやすい。したがって、ホース本体が損傷した際、口金具のうちの磨耗量の大きい部位である止着金具をホース本体に固定したまま廃棄し、別の口金具付きゴムホースに使用可能な接続金具については、その磨耗量を小さくして寿命をより長くすることができる。
【００１１】
また、接続金具を他の管に接続可能な一側が止着金具に着脱自在な他側よりも大径の円錐台状とするようにしてもよい。この構成によれば、円錐台形状の長さや側面の傾斜角度を適宜設定して、他の管に接続可能な接続金具の一側の内径を所望の大きさに設定することができ、ホース本体の共通化を図りつつ、口金具付きゴムホースを種々の内径の管に接続することができる。しかも、口金具のうち、ホース本体から離れた内径が大きい部位ほど、内部流体の流れが遅くて磨耗しにくいので、接続金具の磨耗量を止着金具よりも小さくして、接続金具の長寿命化を図ることができる。
【００１２】
また、接続金具を止着金具よりも耐磨耗性の高い素材から形成するようにしてもよい。この構成によれば、ホース本体に固定した止着金具よりも接続金具の耐摩耗性を高くするので、ホース本体と共に廃棄する止着金具の品質を抑えて製品コストを安くしつつ、接続金具の寿命を長くすることができる。
【００１３】
また、接続金具を止着金具の外周側又は内周側に螺合可能としてもよい。この構成によれば、接続金具を止着金具に螺合するだけで強固に止着することができるので、接続金具の着脱を容易かつ確実にすることができる。通常、管路の接続では、各管をその中心軸周りに回転させることができないため、各管を回転させることなく接続することのできる二つ割の締結具などを用いることが多いが、長さの短い口金具を止着金具及び接続金具に分割して構成するので、止着金具への接続金具の装着手法として、螺合を好適に採用することができる。
【発明の効果】
【００１４】
以上のとおり、本発明によると、ホース本体に固定した止着金具に接続金具を着脱自在として、ホース本体に対する接続金具の装着及び取外しを容易にしているので、接続金具を別の口金具付きゴムホースに容易に使用することができる。これにより、ホース本体の軽量化を図るために薄肉化して、ホース本体の寿命が短くなったような場合であっても、ホース本体の廃棄に伴う接続金具の廃棄を不要にすることができ、全体として、口金具付きゴムホースの製品コストを安くすることができる。
【図面の簡単な説明】
【００１５】
【図１】本発明に係る口金具付きゴムホースの輸送配管への接続を示す側面図で、（ａ）は小径用接続金具を装着した場合を示し、（ｂ）は大径用接続金具を装着した場合を示す
【図２】口金具付きゴムホースの断面図で、小径用接続金具の離脱状態を示す図
【図３】大径用接続金具の断面図
【図４】口金具付きゴムホース断面図で、上半分は小径用接続金具の装着状態を示し、下半分は大径用接続金具の装着状態を示す
【図５】従来の口金具付きゴムホースの断面図
【発明を実施するための形態】
【００１６】
以下、本発明に係る口金具付きゴムホースを実施するための形態について、図面を用いて説明する。
【００１７】
図１に示すように、口金具付きゴムホース１は、例えば、生コンクリートを所定の場所に打設するよう、生コンクリートの輸送配管２の下流側に接続して使用するものであり、筒状の口金具３をホース本体４の上流側端部に止着した構造とされる。なお、図１において、輸送配管２に示した矢印は、輸送配管２及び口金具付きゴムホース１における流体の流れの向きを示す。
【００１８】
図２〜図４に示すように、口金具３は、輸送配管２に接続可能な筒状の接続金具５ａ、５ｂと、一側端部をホース中心軸方向に突出させつつ他側端部をホース本体４の端部内側に固定された筒状の止着金具６と、を備え、その接続金具５ａ、５ｂが、ホース本体４から突出する止着金具６の一側端部に着脱自在とされている。
【００１９】
接続金具５ａ、５ｂは、小径の輸送配管２との接続に用いる小径用接続金具５ａ、あるいは、大径の輸送配管２との接続に用いる大径用接続金具５ｂとされ、輸送配管２の管径に応じて適宜使い分けられる。
【００２０】
小径用接続金具５ａは、止着金具６よりも耐磨耗性の高い鋼材からなる比較的に長さの短い筒状とされ、内部を流体が流れる接続金具本体７ａから他側に向けて突出するように、止着金具６に螺合して装着するための螺合部８が形成されている。
【００２１】
接続金具本体７ａは、例えば内径が７５ｍｍ〜１００ｍｍ程度で、中心軸方向に沿って一定の内径とされ、その外周面の一側端部に、周方向に連続する環状突起９が形成されている。この環状突起９と輸送配管２の端部の環状突起とを跨ぐように二つ割の締結具１０を配置して締結することにより、小径用接続金具５ａが輸送配管２に接続される。
【００２２】
螺合部８は、その内周面に、止着金具６の一側端部の外周側に螺合するためのねじ１１を形成してなり、止着金具６及び接続金具本体７ａの内周面を面一にするよう、接続金具本体７ａよりも大径に形成されている。
【００２３】
大径用接続金具５ｂは、止着金具６よりも耐磨耗性の高い鋼材からなる比較的長さの長い筒状とされ、小径用接続金具５ａと同様、内部を流体が流れる接続金具本体７ｂから他側に向けて螺合部８が形成されている。
【００２４】
接続金具本体７ｂは、例えば内径が７５ｍｍ〜１２５ｍｍ程度で、輸送配管２に接続される一側が止着金具６に着脱自在な他側よりも大径の円錐台状とされ、その他側端部の内周面を止着金具６と面一にするよう、接続金具本体７ｂの他側端部よりも螺合部８が大径に形成されている。この接続金具本体７ｂは、接続金具本体７ａと同様、一側端部に形成された環状突起９と輸送配管２の端部の環状突起とを跨ぐように配置された締結具１０で締結され、大径用接続金具５ｂが輸送配管２に接続される。
【００２５】
止着金具６は、例えば内径が７５ｍｍ〜１００ｍｍ程度で、接続金具５ａ、５ｂよりも耐磨耗性の低い鋼材からなる筒状とされ、その外周面の他側端部を覆われるようホース本体４に固定されつつ、外周面の一側端部を露出させている。
【００２６】
ホース本体４で覆われた止着金具６の他側端部の外周面には、周方向に連続して突出するストップリング１２が形成されている。ストップリング１２のホース中心軸方向で突出側に、ホース本体４の端部に埋設されたビードリング１３を引っ掛けるように配置することにより、止着金具６がホース本体４の端部内側に固定されている。
【００２７】
ホース本体４から露出する止着金具６の一側端部の外周面には、接続金具５ａ、５ｂの螺合部８のねじ１１を螺合されるねじ１４が形成され、接続金具５ａ、５ｂが止着金具６に対して着脱自在とされている。
【００２８】
ホース本体４は、例えば、内径が７５ｍｍ〜１００ｍｍ程度で、長さが５ｍ〜１０ｍ程度の耐摩耗性のゴムからなる管状とされ、これに筒状の補強繊維層１５と、螺旋状のスパイラルワイヤ１６とを埋設した構造とされる。補強繊維層１５の端部は、ビードリング１３に掛けるように折り返され、ホース本体４からの止着金具６の抜け出しを阻止している。ホース本体４の端部内側は、止着金具６の厚さに相当する分だけ切り欠かれ、口金具３及びホース本体４の内周面を面一にしている。
【００２９】
上記構成によれば、口金具３を接続金具５ａ、５ｂ及び止着金具６に分割して構成するので、口金具付きゴムホース１を接続する輸送配管２の管径などに応じて、小径用接続金具５ａと大径用接続金具５ｂと、さらに、その他の接続金具とを使い分けることができる。これにより、例えば、止着金具６を固定した必要最小限の本数のホース本体４に加えて、生コンクリートの打設現場の各種の輸送配管２に対応する種類の接続金具を用意するだけでよく、複数種類の口金具付きゴムホース１の入手を不要にし、さらに、大量の口金具付きゴムホース１の運搬車への積み込みや積み替えを不要にすることができる。
【００３０】
また、磨耗などの損傷を生じやすいホース本体４及び止着金具６に対して、磨耗などの損傷を生じにくい接続金具５ａ、５ｂを着脱自在にしているので、ホース本体４や止着金具６が寿命に達した際、円錐台形状などの比較的に高価な接続金具５ａ、５ｂを別の口金具付きゴムホース１にそのまま使用することができ、全体として、口金具付きゴムホース１の製品コストを安くすることができる。
【００３１】
さらに、ホース本体４の寿命に伴う接続金具５ａ、５ｂの廃棄を不要にすることができるので、製品コストを無駄に高くすることなく、ホース本体４を薄肉化して軽量化を図ることができる。
【００３２】
なお、本発明は、上記の実施の形態に限定されるものではなく、本発明の範囲内において、適宜変更を加えることができる。例えば、接続金具と輸送配管２との接続には、フランジ付きの接続金具を用いることにより、締結具１０に代えて、フランジ継手を採用することもでき、生コンクリートだけでなく他の流体の輸送に使用することもできる。また、接続金具５ａ、５ｂの耐摩耗性を止着金具６よりも高くすることなく、同程度の耐摩耗性に設定してもよい。
【００３３】
また、接続金具の螺合部８は、止着金具６の外周側に螺合するだけでなく、止着金具６の内周側に螺合することもでき、この場合、止着金具６の一側端部を他側端部よりも大径にして、接続金具及び止着金具６の内周面を面一に設定すればよい。
【００３４】
また、螺合部８の代わりに外嵌部を形成し、これを止着金具６に外嵌して外側から締め付けることにより、接続金具を止着金具６に装着するようにしてもよい。この場合、外嵌部に複数のスリットを形成することにより、外嵌部を容易に弾性変形させて、止着金具６に向けて締め付けることができる。
【符号の説明】
【００３５】
１      口金具付きゴムホース
２      輸送配管
３      口金具
４      ホース本体
５ａ    接続金具（小径用接続金具）
５ｂ    接続金具（大径用接続金具）
６      止着金具
７ａ    接続金具本体（小径用）
７ｂ    接続金具本体（大径用）
８      螺合部
９      環状突起
１０    締結具
１１    ねじ
１２    ストップリング
１３    ビードリング
１４    ねじ
１５    補強繊維層
１６    スパイラルワイヤ
【図１】
2016114172.tif 000003
【図２】
2016114172.tif 000004
【図３】
2016114172.tif 000005
【図４】
2016114172.tif 000006
【図５】
2016114172.tif 000007